(57)【特許請求の範囲】
【請求項１】
第１の光軸に沿って被写体側から入射する光束を取り込むレンズ群と、
上記レンズ群を保持し、筐体から突出する使用位置と筐体内部に向けて沈胴する収納位置との間を上記第１の光軸に沿う方向に移動自在に設けられるレンズ枠と、
上記レンズ群を透過した光束を上記第１の光軸に対して交差する第２の光軸に沿う方向へと折り曲げるプリズムと、
上記プリズムによって折り曲げられた光束を受光する撮像素子と、
を備え、
上記プリズムは、上記レンズ群を透過した光束を上記撮像素子の側へと導く反射位置と、上記収納位置における上記レンズ枠の収納空間を確保する退避位置との間を移動自在に構成され、上記第２の光軸に沿う方向であって上記撮像素子が配置されている側に向けて退避するように構成されていることを特徴とする電子カメラ。
【請求項２】
上記第２の光軸上に設けられ、上記反射位置に配置された上記プリズムからの光束を上記撮像素子の受光面上に結像させる第２のレンズ群と、
上記第２のレンズ群の上記第２の光軸に沿う方向への移動を案内する案内軸と、
を備え、
上記案内軸は、上記プリズムの移動をも案内するように構成されていることを特徴とする請求項１に記載の電子カメラ。
【請求項３】
上記レンズ枠は、上記プリズムの反射位置への移動に応じて使用位置へと移動し、上記プリズムの退避位置への移動に応じて収納位置へと移動するように構成されていることを特徴とする請求項１に記載の電子カメラ。
【請求項４】
上記プリズムを支持するプリズム枠を、さらに備え、
上記レンズ枠には、上記プリズム枠の一部に係合する係合部材が設けられ、
上記プリズムの退避位置への移動に際して上記プリズム枠の一部が上記レンズ枠の上記係合部材に係合して上記レンズ枠が収納位置へと移動するように構成されていることを特徴とする請求項３に記載の電子カメラ。
【請求項５】
上記プリズムを移動させるためのアクチュエータを、さらに備え、
上記アクチュエータは、上記プリズム枠に固定され、上記プリズムの反射面の裏面側に近接する位置に配置されていることを特徴とする請求項４に記載の電子カメラ。
【請求項６】
電源の開閉操作を行なうための電源操作手段を、さらに備え、
上記プリズムは、上記電源操作手段による開操作に応じて反射位置へと移動し、上記電源操作手段による閉操作に応じて退避位置へと移動するように構成されていることを特徴とする請求項１−５のうちのいずれか一項に記載の電子カメラ。
【請求項７】
第１の光軸に沿って被写体側から入射する光束を取り込むレンズ群と、
上記レンズ群を保持し、筐体から突出する使用位置と筐体内部に向けて沈胴する収納位置との間を上記第１の光軸に沿う方向に移動自在に設けられるレンズ枠と、
上記レンズ群を透過した光束を上記第１の光軸に対して交差する第２の光軸に沿う方向へと折り曲げるプリズムと、
上記第２の光軸上に設けられ、上記反射位置に配置された上記プリズムからの光束を上記撮像素子の受光面上に結像させる第２のレンズ群と、
上記プリズムによって折り曲げられた光束を受光する撮像素子と、
を備え、
上記プリズムは、上記レンズ群を透過した光束を上記撮像素子の側へと導く反射位置と、上記収納位置における上記レンズ枠の収納空間を確保する退避位置との間を移動自在に構成されており、
上記第２レンズ群は、上記プリズムの退避位置への移動に先立って、退避位置における上記プリズムに干渉しない位置へと退避移動することを特徴とする電子カメラ。
【請求項８】
上記第２のレンズ群は、上記電源操作手段による閉操作に応じて退避位置における上記プリズムに干渉しない位置へと退避移動することを特徴とする請求項７に記載の電子カメラ。
【請求項９】
第１の光軸に沿って被写体側から入射する光束を取り込むレンズ群と、
上記レンズ群を保持し、筐体から突出する使用位置と筐体内部に向けて沈胴する収納位置との間を上記第１の光軸に沿う方向に移動自在に設けられるレンズ枠と、
上記レンズ群を透過した光束を上記第１の光軸に対して交差する第２の光軸に沿う方向へと折り曲げる反射鏡と、
上記反射鏡によって折り曲げられた光束を受光する撮像素子と、
を備え、
上記反射鏡は、上記レンズ群を透過した光束を上記撮像素子の側へと導く反射位置と、上記収納位置における上記レンズ枠の収納空間を確保する退避位置との間を移動自在に構成されており、
さらに上記反射鏡は、上記第２の光軸に沿う方向であって上記撮像素子が配置されている側に向けて退避するように構成されていることを特徴とする電子カメラ。
【発明の詳細な説明】
【０００１】
【発明の属する技術分野】
この発明は、電子カメラ、詳しくは被写体像を電子的な画像データとして記録し得る電子カメラ等において、被写体から入射する光束の光軸を折り曲げるプリズム等の反射部材を備えて構成されるいわゆる折り曲げ光学系を採用した電子カメラに関するものである。
【０００２】
【従来の技術】
従来より、複数のレンズ群等からなる撮影光学系に入射する被写体からの光束（以下、被写体光束という）に基づいて形成される被写体像を所定の位置に配置した被写体像取得手段、例えば電荷結合素子（ＣＣＤ；Ｃharge Ｃoupled Ｄevice）等の撮像素子等の受光面上に結像させることで、所望の被写体像を取得し、これを所定の形態で所定の記録媒体に記録し得るように構成された、いわゆる電子スチルカメラやデジタルビデオカメラ等の電子カメラ等については、一般的に実用化され広く普及している。
【０００３】
このような従来の電子カメラ等においては、被写体像を所定の位置に結像させるために複数のレンズ等の撮影光学系からなる鏡枠装置（以下、レンズユニットという）を備えて構成されているのが普通である。
【０００４】
従来の電子カメラ等におけるレンズユニットは、例えば複数のレンズを介して電子カメラの内部に向けて入射する被写体光束を、撮像素子等の受光面上に導くために、その光路中にプリズムや反射鏡等の所定の反射部材を配置して、被写体光束の光路を所定の方向、例えば入射光軸に対して略直角方向へと折り曲げるように構成されたもの等、様々な形態のものが一般的に利用されている。
【０００５】
そして、上述したようないわゆる折り曲げ光学系を適用したレンズユニットについては、例えば特開平９−１６３２０６号公報等によって、種々の提案がなされている。
【０００６】
上記特開平９−１６３２０６号公報によって開示されている電子カメラにおいては、被写体光束の光軸を略直角方向に折り曲げる反射部材としてプリズムを用いている。これにより、必要な光路長を確保しながら電子カメラ自体の小型化を実現している。
【０００７】
また、一般的な電子カメラ等は、使用者によって野外等に持ち出されて使用されるのが普通である。このことから、電子カメラ等の携帯性については、従来より重要視されている点であり、カメラ自体のより一層の薄型化及び小型化が要望されている。
【０００８】
そこで、上述の特開平９−１６３２０６号公報等によって開示されている電子カメラ等に示されるように、撮影光学系の光路中にプリズム等の反射部材を配置したいわゆる折り曲げ光学系を採用することは、電子カメラ自体の小型化、特にカメラの奥行方向の寸法を薄型化する上で非常に有利な手段となっている。
【０００９】
一方、電子カメラ等の携帯時における可搬性を向上させるために、撮影動作を行ない得る通常の使用位置と、この使用位置から電子カメラの筐体内部に向けて沈胴させた収納位置との間で撮影光学系を構成する一部のレンズを移動させ、これにより携帯時における撮影光学系の全長を短縮し得るように構成したレンズユニットを備えるいわゆる撮影レンズ沈胴式の電子カメラ等が、一般的に実用化されている。
【００１０】
【発明が解決しようとする課題】
ところが、折り曲げ光学系を適用した電子カメラにおいては、その撮影光学系の構成によっては、プリズム等の反射部材よりも前段部分にレンズ群が配置される場合もある。
【００１１】
このような場合には、電子カメラ自体の奥行方向の寸法は、前段部分のレンズ群と反射部材とのサイズによって規制を受け、薄型化するのには限界があるという問題点がある。
【００１２】
本発明は、上述した点に鑑みてなされたものであって、その目的とするところは、プリズム等の反射手段を用いてなる折り曲げ光学系を採用したレンズユニットを備える電子カメラにおいて、さらなる筐体の薄型化を実現することのできる機構を備えた電子カメラを提供することである。
【００１３】
【課題を解決するための手段】
上記の目的を達成するために、第１の発明による電子カメラは、第１の光軸に沿って被写体側から入射する光束を取り込むレンズ群と、上記レンズ群を保持し、筐体から突出する使用位置と筐体内部に向けて沈胴する収納位置との間を上記第１の光軸に沿う方向に移動自在に設けられるレンズ枠と、上記レンズ群を透過した光束を上記第１の光軸に対して交差する第２の光軸に沿う方向へと折り曲げるプリズムと、上記プリズムによって折り曲げられた光束を受光する撮像素子と、を備え、上記プリズムは、上記レンズ群を透過した光束を上記撮像素子の側へと導く反射位置と、上記収納位置における上記レンズ枠の収納空間を確保する退避位置との間を移動自在に構成され、上記第２の光軸に沿う方向であって上記撮像素子が配置されている側に向けて退避するように構成されていることを特徴とする。
【００１４】
上記の目的を達成するために、第２の発明による電子カメラは、第１の発明による電子カメラにおいて、上記第２の光軸上に設けられ、上記反射位置に配置された上記プリズムからの光束を上記撮像素子の受光面上に結像させる第２のレンズ群と、上記第２のレンズ群の上記第２の光軸に沿う方向への移動を案内する案内軸と、を備え、上記案内軸は、上記プリズムの移動をも案内するように構成されていることを特徴とする。
【００１５】
上記の目的を達成するために、第３の発明による電子カメラは、第１の発明による電子カメラにおいて、上記レンズ枠は、上記プリズムの反射位置への移動に応じて使用位置へと移動し、上記プリズムの退避位置への移動に応じて収納位置へと移動するように構成されていることを特徴とする。
【００１６】
上記の目的を達成するために、第４の発明による電子カメラは、第３の発明による電子カメラにおいて、上記プリズムを支持するプリズム枠を、さらに備え、上記レンズ枠には、上記プリズム枠の一部に係合する係合部材が設けられ、上記プリズムの退避位置への移動に際して上記プリズム枠の一部が上記レンズ枠の上記係合部材に係合して上記レンズ枠が収納位置へと移動するように構成されていることを特徴とする。
【００１７】
上記の目的を達成するために、第５の発明による電子カメラは、第４の発明による電子カメラにおいて、上記プリズムを移動させるためのアクチュエータを、さらに備え、上記アクチュエータは、上記プリズム枠に固定され、上記プリズムの反射面の裏面側に近接する位置に配置されていることを特徴とする。
【００１８】
上記の目的を達成するために、第６の発明による電子カメラは、第１−第５の発明による電子カメラにおいて、電源の開閉操作を行なうための電源操作手段を、さらに備え、上記プリズムは、上記電源操作手段による開操作に応じて反射位置へと移動し、上記電源操作手段による閉操作に応じて退避位置へと移動するように構成されていることを特徴とする。
【００１９】
上記の目的を達成するために、第７の発明による電子カメラは、第１の光軸に沿って被写体側から入射する光束を取り込むレンズ群と、上記レンズ群を保持し、筐体から突出する使用位置と筐体内部に向けて沈胴する収納位置との間を上記第１の光軸に沿う方向に移動自在に設けられるレンズ枠と、上記レンズ群を透過した光束を上記第１の光軸に対して交差する第２の光軸に沿う方向へと折り曲げるプリズムと、上記第２の光軸上に設けられ、上記反射位置に配置された上記プリズムからの光束を上記撮像素子の受光面上に結像させる第２のレンズ群と、上記プリズムによって折り曲げられた光束を受光する撮像素子と、を備え、上記プリズムは、上記レンズ群を透過した光束を上記撮像素子の側へと導く反射位置と、上記収納位置における上記レンズ枠の収納空間を確保する退避位置との間を移動自在に構成されており、上記第２レンズ群は、上記プリズムの退避位置への移動に先立って、退避位置における上記プリズムに干渉しない位置へと退避移動することを特徴とする。
【００２０】
上記の目的を達成するために、第８の発明による電子カメラは、第７の発明による電子カメラにおいて、上記第２のレンズ群は、上記電源操作手段による閉操作に応じて退避位置における上記プリズムに干渉しない位置へと退避移動することを特徴とする。
【００２１】
上記の目的を達成するために、第９の発明による電子カメラは、第１の光軸に沿って被写体側から入射する光束を取り込むレンズ群と、上記レンズ群を保持し、筐体から突出する使用位置と筐体内部に向けて沈胴する収納位置との間を上記第１の光軸に沿う方向に移動自在に設けられるレンズ枠と、上記レンズ群を透過した光束を上記第１の光軸に対して交差する第２の光軸に沿う方向へと折り曲げる反射鏡と、上記反射鏡によって折り曲げられた光束を受光する撮像素子と、を備え、上記反射鏡は、上記レンズ群を透過した光束を上記撮像素子の側へと導く反射位置と、上記収納位置における上記レンズ枠の収納空間を確保する退避位置との間を移動自在に構成されており、さらに上記反射鏡は、上記第２の光軸に沿う方向であって上記撮像素子が配置されている側に向けて退避するように構成されていることを特徴とする。
【００２７】
【発明の実施の形態】
以下、図示の実施の形態によって本発明を説明する。
図１は、本発明の第１の実施形態の電子カメラの前面側の外観を示す斜視図である。図２は、図１の電子カメラの背面側の外観を示す斜視図である。図３は、図１の電子カメラの主な内部構成部材を概略的に示す透視図である。
【００２８】
図４は、本電子カメラにおけるレンズユニットを取り出して示す斜視図であって、本電子カメラが使用状態にある場合を図示している。また、図５・図６は、本電子カメラにおけるレンズユニットの一部を拡大して示し、図５は、本レンズユニットの反射部材（プリズム）とその駆動機構及びレンズ枠とその沈胴駆動機構を構成する部材を主に示す要部拡大分解斜視図である。図６は、本電子カメラにおけるレンズユニットの一部を拡大して示し、当該部位を組み立てた際の状態を示す要部拡大斜視図である。
【００２９】
なお、図５は、本レンズユニットにおけるプリズムが所定の反射位置にある状態を、図６は、本レンズユニットにおけるプリズムが所定の退避位置にある状態を、それぞれ示している。
【００３０】
まず、本実施形態のレンズユニット（鏡枠装置）を備えた電子カメラの構成について、図１・図２・図３を用いて、以下に説明する。
図１・図２・図３に示すように、本実施形態の電子カメラ１は、各種の構成部材を内部に備え、奥行方向の寸法が比較的小さくなるようにその筐体を形成したものである。
【００３１】
この電子カメラ１の筐体は、外装部材１１によってその外面が構成されている。この外装部材１１の上面には、撮影動作の実行等を指示するレリーズボタン１２等の操作部材が配設されている。
【００３２】
なお、図１〜図３では、本電子カメラ１における操作部材としては、レリーズボタン１２のみを図示しているが、従来の一般的な電子カメラ等と同様に本電子カメラ１においても外装部材１１の表面上には、各種の操作部材が複数配設されているものとする。これら他の操作部材については、本発明に直接関係しない部材であることから、図面の煩雑化を防ぐためにその図示を省略している。
【００３３】
外装部材１１の前面には、図１に示すようにストロボ装置の一部を構成するストロボ光照射窓１３が上縁部近傍の所定の位置に配設されている。
【００３４】
このストロボ光照射窓１３に隣接する所定の位置には、図３に示すように撮影光学系等の構成部材からなる撮影レンズユニット２（以下、単にレンズユニットという）が設けられている。
【００３５】
このレンズユニット２の一部であって撮影光学系の前段部分のレンズ群であり第１のレンズ群である対物光学系２１ａを保持するレンズ枠である沈胴レンズ枠２１は、本電子カメラ１の前後方向、即ち図１に示す矢印Ｘ方向に移動自在に配設されている。
【００３６】
また、図２に示すように本電子カメラ１の背面側の所定の位置には、表示装置１７や電源操作手段である電源操作部材１８等が、それぞれ所定の位置に配設されている。
【００３７】
ここで、表示装置１７は、撮影光学系を介して取得した被写体像を撮像素子（図示せず）によって電気的な信号に変換した後、所定の信号処理を経て生成される画像データに基づいて、被写体像に対応する画像を表示するための液晶表示装置（ＬＣＤ）等が適用されており、その表示面は、背面側に向けて配設されている。
【００３８】
電源操作部材１８は、本電子カメラ１の内部に配設され、電源の開閉を担うスイッチ部材に連動する操作部材であって、スライド操作することで電源の開閉状態を切り換え得るように構成されている。
【００３９】
本電子カメラ１の筐体内部には、図３に示すように、その略中央部の所定の位置に、複数の回路基板１５が当該電子カメラ１の奥行方向に沿う方向に積層するようにして配設されている。
【００４０】
回路基板１５には、外装部材１１の表面上に配設されるレリーズボタン１２や電源操作部材１８等の各種の操作部材（図３においてはレリーズボタン１２以外は図示せず）に連動し、対応する所定の指示信号を発生させるスイッチ部材（図示せず）等や、本電子カメラ１の制御回路・電源回路・画像信号処理回路等を構成する各種の電気部品が実装されている。したがって、これによりレリーズボタン１２等の操作部材が本電子カメラ１の使用者によって操作されると、その操作に応じた所定の指示信号が発生するようになっている。
【００４１】
また、回路基板１５には、レンズユニット２に設けられる電気基板であって、被写体光束を受けて光電変換を行なう撮像素子等（図示せず）が実装される撮像基板２８や、レンズユニット２の所定の位置に設けられ、沈胴レンズ枠２１の繰り出し及び繰り込み駆動とプリズム４０（後述する）の退避駆動に寄与するプリズム退避用及びレンズ枠沈胴用のアクチュエータ４２等が電気的に接続されている。
【００４２】
本電子カメラ１の内部であって、一端部近傍の所定の位置、即ち上述の回路基板１５の両端部に形成される空間のうちの一端部の空間には、当該電子カメラ１の主電源となる電池１６が配置されている。この電池１６と回路基板１５とは、図示されていないが所定の電源接続線によって電気的に接続されている。これにより、電池１６の電力が回路基板１５上に実装される所定の電源回路を介して本電子カメラ１の電気構成部材へと供給されるようになっている。
【００４３】
また、本電子カメラ１の内部空間における他方の端部の空間には、上述のレンズユニット２が固設されている。このレンズユニット２には、対物光学系２１ａ等の複数の光学レンズ等からなる撮影光学系や、この撮影光学系の光軸を所定の位置で折り曲げる反射部材であるプリズム４０（図３では図示せず。図４〜図６参照）等の光学部材と、これらの光学部材等をそれぞれ支持する構成部材、例えば対物光学系２１ａを保持するレンズ枠である沈胴レンズ枠２１やプリズム４０を保持するプリズム保持枠４１（図３では図示せず）等の構成部材等と、プリズム保持枠４１を移動させ所定の位置に配置するのと同時に沈胴レンズ枠２１を所定の方向へと移動させるための駆動源であるプリズム退避用及びレンズ枠沈胴用のアクチュエータ４２等を含むレンズ枠沈胴機構及びプリズム駆動機構等と、撮像基板２８等の電気部材等が、それぞれ所定の位置に配設されている。
【００４４】
次に、本実施形態の電子カメラ１に適用されるレンズユニット２の構成について、以下に詳述する。
上述したように本電子カメラ１の内部には、レンズユニット２が所定の位置に配設されている。このレンズユニット２は、図４に示すように撮影に寄与する複数のレンズ群（２１ａ・２２ａ・２３ａ・２４ａ）と、これらのレンズ群をそれぞれ保持する複数のレンズ枠（２１・２２・２３・２４）と、これらのレンズ枠のうちの一部（２２・２３）を所定の方向へと移動させるためのレンズ枠駆動機構と、所定のレンズ枠（２１）を所定の方向において移動自在となるように支持するレンズ枠沈胴機構と、当該レンズユニット２の撮影光学系のうち第１のレンズ群である対物光学系２１ａへと入射する光束の光軸Ｏ１を折り曲げて、当該光束を撮像素子（図示せず）の受光面のがわへと導く反射部材であるプリズム４０と、このプリズム４０を保持するプリズム保持枠４１と、このプリズム保持枠４１を所定の方向に移動自在となるように支持するプリズム駆動機構等によって構成されている。
【００４５】
本レンズユニット２の具体的な構成は、次に示す通りである。
当該レンズユニット２を構成する各種の構成部材は、図４に示すようにレンズユニット基台（以下、単に基台という）２５の上面の所定の位置にそれぞれ配設されている。
【００４６】
本レンズユニット２における撮影光学系は、いわゆる折り曲げ光学系からなるものである。即ち、本電子カメラ１のレンズユニット２における撮影光学系は、当該電子カメラ１の前面側の所定の位置に配設される第１のレンズ群であって、自己の光軸Ｏ１に沿う方向へと移動自在となるように配置される対物光学系２１ａ（沈胴レンズ群）と、この対物光学系２１ａを透過した光束受けてこれを所定の方向へと導くべく当該対物光学系２１ａの光軸Ｏ１を折り曲げる反射部材であるプリズム４０と、当該撮影光学系の他の一部を構成する複数のレンズ群２２ａ・２３ａ・２４ａからなる第２のレンズ群等の複数の光学部材等によって構成されている。
【００４７】
ここで、第２のレンズ群を構成する複数のレンズ群は、プリズム４０によって折り曲げられた後の光軸Ｏ２の延長上に設けられている。これらの複数のレンズ群は、第１のレンズ群（対物光学系２１ａ）に近い側から変倍系レンズ群２２ａ・補正系レンズ群２３ａ・固定レンズ群２４ａの順に並べて配置されている。これにより、この第２のレンズ群は、プリズム４０からの光束を撮像素子（図示せず）の受光面上に結像させるようになっている。
【００４８】
変倍系レンズ群２２ａは、所定の変倍指示信号に基づいて駆動されるレンズ枠駆動機構によって光軸Ｏ２に沿う方向へと移動しこれにより変倍動作に寄与するレンズ群である。
【００４９】
補正系レンズ群２３ａは、焦点調節動作を行なうと共に変倍動作に伴って生じる焦点調節状態のずれを補正するレンズ群である。
【００５０】
固定レンズ群２４ａは、最終的に被写体像を撮像素子（図示せず）の受光面上に結像させるレンズ群である。
【００５１】
これらの光学部材等は、最も被写体寄りの位置から光軸Ｏ１・Ｏ２に沿って撮像素子の側に向けて、対物光学系２１ａ・プリズム４０・変倍系レンズ群２２ａ・補正系レンズ群２３ａ・固定レンズ群２４ａの順に配置されている。なお、プリズム４０は、光軸Ｏ１・Ｏ２の延長線の交点近傍に設けられており、これより前段部に配置される対物光学系２１ａ（第１のレンズ群）は光軸Ｏ１上に、プリズム４０より後段部に配置される変倍系レンズ群２２ａ・補正系レンズ群２３ａ・固定レンズ群２４ａ（第２のレンズ群）は光軸Ｏ２上に配置されることになる。
【００５２】
そして、固定レンズ群２４ａの後方の所定の位置には、撮像素子（図示せず）を実装した撮像基板２８が配設されている。
【００５３】
また、撮像素子（を実装する撮像基板２８）は、プリズム４０によって折り曲げられた後の光軸Ｏ２の延長線上に配置されている。したがって、これにより本電子カメラ１の前面に対向する位置に存る被写体のがわからの光束は、当該撮影光学系の対物光学系２１ａ（沈胴レンズ群）へと入射し、この対物光学系２１ａを透過した後、プリズム４０によって光軸Ｏ１が光軸Ｏ２方向に折り曲げられて各レンズ群２２ａ・２３ａ・２４ａを透過し、その後、撮像素子（撮像基板２８）の受光面に照射されるように構成されている。
【００５４】
ここで、本レンズユニット２へと入射する光束において、入射側（被写体側）の光軸は、図４〜図６に示すように符号Ｏ１で示し、この符号Ｏ１で示される光軸を第１の光軸というものとしている。
【００５５】
また、この第１の光軸Ｏ１に対して直交する光軸は、図４〜図６に示すように符号Ｏ２で示し、この符号Ｏ２で示される光軸を第２の光軸というものとしている。この第２の光軸Ｏ２は、プリズム４０によって折り曲げられた後の光束の光軸であって、変倍系レンズ群２２ａ・補正系レンズ群２３ａ・固定レンズ群２４ａの略中心を透過して撮像基板２８上の撮像素子（図示せず）へと至る光束の中心軸となっている。
【００５６】
撮像基板２８の端部には、コネクタ部２８ａが実装されており、このコネクタ部２８ａに接続されるフレキシブルプリント基板２８ｂ等を介して撮像基板２８は、画像信号処理回路等を実装した回路基板１５（図３参照）と電気的に接続されている。
【００５７】
プリズム４０は、プリズム保持枠４１によって保持されており、このプリズム保持枠４１は、プリズム駆動機構によって光軸Ｏ２に沿う方向に摺動自在に配設されている。このプリズム駆動機構についての詳細な構成は、図５・図６を用いて後述する。
【００５８】
プリズム保持枠４１の近傍であって、本電子カメラ１の前面寄りの位置には、対物光学系２１ａが配設されている。この対物光学系２１ａは、上述したように沈胴レンズ枠２１によって保持されており、この沈胴レンズ枠２１は、レンズ枠沈胴機構によって光軸Ｏ１に沿う方向に移動自在に支持されている。なお、このレンズ枠沈胴機構の詳細な構成についても、図５・図６を用いて後述する。
【００５９】
一方、基台２５の他端部近傍には、固定レンズ群２４ａを保持する固定枠２４が配設されている。これによって、固定レンズ群２４ａは、基台２５の上面の所定の位置に固定保持されている。
【００６０】
そして、プリズム保持枠４１及び沈胴レンズ枠２１と固定枠２４との間には、二本のガイド軸である駆動軸２６及び案内軸２７が懸架されている。この二本のガイド軸のうち駆動軸２６は、後述するように変倍レンズ枠２２と補正レンズ枠２３とを光軸Ｏ２に沿う方向へと移動するように案内するための主ガイド軸としての役目をするものである。
【００６１】
また、案内軸２７は、変倍レンズ枠２２と補正レンズ枠２３とが駆動軸２６を中心として回転するのを防ぐ役目をすると共に、両枠２２・２３が光軸Ｏ２に沿う方向へと移動する際の案内をする副ガイド軸としての役目をするものである。
【００６２】
駆動軸２６の一端部は、プリズム保持枠４１及び沈胴レンズ枠２１の近傍において基台２５と一体に形成される軸支持部２５ａによって回動自在に軸支されている（図４〜図６参照）。
【００６３】
一方、駆動軸２６の他端部は、固定枠２４の所定の位置において回動自在に軸支されている。この場合において、駆動軸２６の他端部は、固定枠２４の所定の部位を貫通しており、当該駆動軸２６の先端部が固定枠２４の外方に突出している。そして、この駆動軸２６の突出先端部には、駆動歯車２６ｂが固設されている。
【００６４】
また、案内軸２７の一端部も上述の駆動軸２６と同様に、プリズム保持枠４１及び沈胴レンズ枠２１の近傍において基台２５と一体に形成される軸支持部２５ｂ（図４では図示せず。図５・図６参照）に対して固定支持されている。
【００６５】
駆動軸２６及び案内軸２７は、変倍系レンズ群２２ａを固定保持する変倍レンズ枠２２と、補正系レンズ群２３ａを固定保持する補正レンズ枠２３とのそれぞれが光軸Ｏ２に沿う方向に独立して移動し得るように、両枠２２・２３を支持している。
【００６６】
この場合において、補正レンズ枠２３の一方の支持端部２３ｄには、光軸Ｏ２に沿う方向に形成される貫通孔が穿設されている。この貫通孔に対して駆動軸２６は回動自在に挿通している。
【００６７】
また、補正レンズ枠２３には、一方の支持端部２３ｄの近傍における所定の位置にカムピン２３ｂが植設されており、当該カムピン２３ｂの先端部は、支持端部２３ｄを貫通し、上述の補正レンズ枠２３の貫通孔の内部に突設されている。
【００６８】
これに対して、駆動軸２６の周面上の一部には、駆動溝であるカム溝２６ａが設けられている。このカム溝２６ａは、補正レンズ枠２３の近傍における駆動軸２６の周面上の所定の範囲にわたって形成されている。そして、カム溝２６ａに対して上述のカムピン２３ｂがカム係合している。
【００６９】
このように、カム溝２６ａと補正レンズ枠２３のカムピン２３ｂとがカム係合していることから、駆動軸２６が回動すると補正系レンズ群２３ａは所定の方向（光軸Ｏ２に沿う方向。図４の矢印Ｙ方向）に移動するようになっている。
【００７０】
また、補正レンズ枠２３の他端部には、断面が略Ｕ字形状となる軸受部２３ｅが形成されており、この軸受部２３ｅの内部に案内軸２７が配置されている。この場合において、案内軸２７は、駆動軸２６を回転中心として補正レンズ枠２３が回転するのを防ぐと共に、同補正レンズ枠２３の光軸Ｏ２に沿う方向への移動を案内する役目をしている。
【００７１】
したがって、駆動軸２６がレンズ枠駆動機構（後述するアクチュエータ３２等）によって回動されたときには、この回動動作に伴って補正レンズ枠２３は、光軸Ｏ２に沿う方向（矢印Ｙ方向）にのみ移動するようになっている。
【００７２】
一方、変倍レンズ枠２２の一方の支持端部２２ｄには、上述の補正レンズ枠２３の貫通孔と同様の貫通孔が光軸Ｏ２に沿う方向に穿設されている。この貫通孔に対して駆動軸２６が回動自在に挿通している。
【００７３】
また、変倍レンズ枠２２にも、所定の位置にカムピン２２ｂが配設されており、当該カムピン２２ｂの先端部は、駆動軸２６の周面上の一部に設けられる駆動溝、即ちカム溝２６ｃにカム係合している。このカム溝２６ｃは、変倍レンズ枠２２が配置される近傍における駆動軸２６の周面上の所定の範囲にわたって形成されている。
【００７４】
このようにカム溝２６ｃと変倍レンズ枠２２のカムピン２２ｂとがカム係合していることから、駆動軸２６が回動されると変倍系レンズ群２２ａは所定の方向（光軸Ｏ２に沿う方向。図４の符号Ｙ方向）に移動するようになっている。
【００７５】
また、変倍レンズ枠２２の他端部には、上述の補正レンズ枠２３と同様に、断面が略Ｕ字形状となる軸受部２２ｅが形成されており、この軸受部２２ｅの内部には、案内軸２７が配置されている。
【００７６】
この場合において、案内軸２７は、駆動軸２６を回転中心として変倍レンズ枠２２が回転するのを防ぐと共に、同変倍レンズ枠２２の光軸Ｏ２に沿う方向への移動を案内する役目をしている。
【００７７】
したがって、駆動軸２６が所定のレンズ枠駆動機構（後述するアクチュエータ３２等）によって回動したときには、この回動動作に伴って変倍レンズ枠２２は、光軸Ｏ２に沿う方向（矢印Ｙ方向）にのみ移動するようになっている。
【００７８】
駆動軸２６の駆動歯車２６ｂの近傍には、被駆動要素である補正レンズ枠２３及び変倍レンズ枠２２を光軸Ｏ２に沿う方向に移動させるためのレンズ枠駆動機構の一部を構成するアクチュエータ３２等が配設されている。このアクチュエータ３２は、基台２５の上面における所定の位置に固設されている。そして、当該アクチュエータ３２は、所定の接続手段（図示せず）によって回路基板１５と電気的に接続されている。
【００７９】
アクチュエータ３２の回動軸の先端部には、駆動歯車３２ａが固設されている。この駆動歯車３２ａは、駆動軸２６の駆動歯車２６ｂに噛合している。したがって、これによりアクチュエータ３２の駆動力は、駆動軸２６へと伝達され、これを所定の方向へと回動させ得るようになっている。
【００８０】
そして、駆動軸２６が回動すると、上述したように当該駆動軸２６のカム溝２６ａと補正レンズ枠２３のカムピン２３ｂとのカム結合によって補正レンズ枠２３が光軸Ｏ２に沿う方向（図４の矢印Ｙ方向）へと移動するようになっている。これと同時に、駆動軸２６のカム溝２６ｃと変倍レンズ枠２２のカムピン２２ｂとのカム作用によって変倍レンズ枠２２も光軸Ｏ２に沿う方向（図４の矢印Ｙ方向）へと移動するようになっている。
【００８１】
そして、基台２５の上面において、レンズ枠駆動機構の設けられているがわとは反対側の端部近傍の所定の位置には、上述したようにプリズム４０を保持するプリズム保持枠４１とそのプリズム駆動機構及び沈胴レンズ枠２１とそのレンズ枠沈胴機構等が配設されている。
【００８２】
プリズム駆動機構及びレンズ枠沈胴機構は、図４〜図６に示すように構成されている。
プリズム保持枠４１は、当該枠４１を摺動自在に支持するための支持腕部４１ｂ・４１ｄを有する基端部４１ａと、プリズム４０を保持する保持部４１ｅとによって形成されている。
【００８３】
基端部４１ａの一方の支持腕部４１ｂの先端部近傍には、光軸Ｏ２に沿う方向に形成される貫通孔が穿設されている。この貫通孔に対して駆動軸２６が回動かつ摺動自在となるように挿通している。
【００８４】
また、基端部４１ａの他方の支持腕部４１ｄの先端部近傍には、断面が略Ｕ字形状の軸受部４１ｄｄが形成されており、この軸受部４１ｄｄの内部に案内軸２７が配置されている。
【００８５】
したがって、これによりプリズム保持枠４１は、駆動軸２６及び案内軸２７によって光軸Ｏ２に沿う方向にのみ摺動自在に支持されている。
【００８６】
支持腕部４１ｂの先端部には、断面が略Ｌ字形状からなる切片４１ｃが一体に形成されている。これに対して、基台２５上には、プリズム保持枠４１の位置を検知する枠位置検知部材４３が配設されている。
【００８７】
この枠位置検知部材４３は、その長辺が光軸Ｏ２に沿う方向に延出するように配設されている。そして、枠位置検知部材４３の長辺方向の両端部近傍には、それぞれに断面が略凹形状からなる二つの検知部４３ａ・４３ｂが形成されている。この検知部４３ａ・４３ｂは、例えばフォトセンサ等の検知手段を備えて構成されている。
【００８８】
プリズム保持枠４１が駆動されて光軸Ｏ２に沿う方向に摺動する際に、当該プリズム保持枠４１の切片４１ｃが枠位置検知部材４３の二つの検知部４３ａ・４３ｂの凹形状の隙間部を通過するように、枠位置検知部材４３は、基台２５の上面の所定の位置に配設されている。
【００８９】
そして、プリズム保持枠４１の切片４１ｃが枠位置検知部材４３の二つの検知部４３ａ・４３ｂのいずれかの凹形状の隙間部を通過すると、所定の信号が生じるようになっており、その指示信号を受けて、本電子カメラ１の所定の制御回路（図示せず）がプリズム保持枠４１の位置を検知し得るようになっている。
【００９０】
ここで、枠位置検知部材４３によって検知される所定の位置とは、本電子カメラ１を撮影動作を行ない得る使用状態に設定した時にプリズム保持枠４１が配置されているべき位置、即ち対物光学系２１ａを透過した光束を撮像素子の側へと導き得る反射位置と、本電子カメラ１を非使用状態に設定した時にプリズム保持枠４１が配置されているべき位置、即ち沈胴レンズ枠２１を収納位置に収納する際の収納空間を確保し得る退避位置とである。
【００９１】
なお、プリズム保持枠４１の反射位置は検知部４３ａによって検知され、プリズム保持枠４１の退避位置は検知部４３ｂによって検知されるようになっている。
【００９２】
一方、プリズム保持枠４１に保持されるプリズム４０の反射面の裏面４０ａに近接する位置には、プリズム退避用及びレンズ枠沈胴用のアクチュエータ４２が当該プリズム保持枠４１の保持部４１ｅに対して、例えばねじ５２等によって固設されている。
【００９３】
このアクチュエータ４２の回転軸の先端部には、ピニオンギアー４２ａが固設されている。またアクチュエータ４２の回転軸の近傍には、支軸４２ｃが回動自在に植設されており、この支軸４２ｃの先端部にはギアー４２ｂが固設されいている。そして、ピニオンギアー４２ａは、ギアー４２ｂに噛合している。
【００９４】
このギアー４２ｂは、基台２５の上面側の所定の位置に形成されているラックギアー４５に噛合している。このラックギアー４５は、その長辺が光軸Ｏ２に沿う方向に延出するように配設されている。
【００９５】
したがって、アクチュエータ４２が所定の指示信号を受けて所定の方向への回転駆動を開始すると、当該アクチュエータ４２の駆動力は、ピニオンギアー４２ａ・ギアー４２ｂを介してラックギアー４５へと伝達されることにより、当該アクチュエータ４２が固設されているプリズム保持枠４１自身が光軸Ｏ２に沿う方向に移動するようになっている。
【００９６】
そして、これによりプリズム保持枠４１は、後述する沈胴レンズ枠２１に保持されるレンズ群である対物光学系２１ａを透過した光束を撮像素子の側へと導く反射位置と、沈胴レンズ枠２１の電子カメラ１の内部における収納空間を確保する退避位置との間で自在に移動し得るように構成されている。
このようにプリズム駆動機構は構成されている。
【００９７】
プリズム保持枠４１の保持部４１ｅの所定の位置には、係合ピン４１ｆが光軸Ｏ１・Ｏ２に対して直交する方向であって、当該プリズム保持枠４１の外方に向けて突設されている。この係合ピン４１ｆは、後述する係合部材４４の所定の位置に設けられるガイドスリット４４ｂの内部に係合するように配置されている。
【００９８】
そして、係合ピン４１ｆとガイドスリット４４ｂとが係合した状態において、プリズム保持枠４１が光軸Ｏ２に沿う方向へと移動すると、これに連動して沈胴レンズ枠２１が光軸Ｏ１に沿う方向へと移動するようになっている。
これによって、沈胴レンズ枠２１とプリズム保持枠４１とを連動させる連動機構が構成されている。
【００９９】
一方、基台２５の一端部近傍において、プリズム保持枠４１よりも外縁側の所定の位置には、沈胴レンズ枠２１を支持する二本の案内支軸３３が植設されている。この案内支軸３３は、沈胴レンズ枠２１を光軸Ｏ１に沿う方向へと摺動自在に支持するために設けられているものである。
【０１００】
沈胴レンズ枠２１は、対物光学系２１ａを保持する円筒形状からなるレンズ保持部２１ｅと、当該沈胴レンズ枠２１を摺動自在に支持するための二本の支持腕部２１ｂ・２１ｃと、当該沈胴レンズ枠２１とプリズム保持枠４１との連動を確保する係合部材４４を取り付ける連結部２１ｆとによって構成されている。
【０１０１】
レンズ保持部２１ｅには、複数のレンズからなり撮影光学系の前段部分のレンズ群である対物光学系２１ａが固定保持されている。このレンズ保持部２１ｅの外周面上の所定の位置には、外方に向けて突出するように二本の支持腕部２１ｂ・２１ｃが一体に設けられている。このうち支持腕部２１ｂの先端部には、貫通孔が形成されており、この貫通孔には、一方の案内支軸３３が挿通されている。そして、この案内支軸３３には、伸長性のコイルばね等の弾性部材３６が巻回されている。したがって、これにより一方の案内支軸３３は、沈胴レンズ枠２１を摺動自在に支持しつつ、沈胴レンズ枠２１の光軸Ｏ１に沿う方向への移動を案内する役目をしている。
【０１０２】
また、支持腕部２１ｃの先端部は、断面が略Ｕ字形状となる軸受部が形成されており、この軸受部の内部に他方の案内支軸３３が配置されている。これによって、他方の案内支軸３３は、沈胴レンズ枠２１を摺動自在に支持しつつ、沈胴レンズ枠２１が他方の案内支軸３３を回転中心として光軸Ｏ１周りに回転してしまうのを防ぐと同時に、同沈胴レンズ枠２１の光軸Ｏ１に沿う方向への移動を案内する役目をしている。
【０１０３】
連結部２１ｆは、保持部２１ｅの外周面上の所定の位置に一体に形成されている。この連結部２１ｆには、沈胴レンズ枠２１とプリズム保持枠４１との連動を確保するために設けられる係合部材４４がねじ５１等の締結手段等によって取り付けられている。具体的には、連結部２１ｆには、二つのねじ孔２１ｄが穿設されており、これに対応して係合部材４４の所定の位置には孔４４ａが形成されている。そして、係合部材４４は、沈胴レンズ枠２１の連結部２１ｆ（の側面部）に対してねじ５１を介して取り付けられている。
【０１０４】
また、係合部材４４には、光軸Ｏ２に沿う方向であって、当該光軸Ｏ２に対して所定の角度を有する方向に形成される長孔と光軸Ｏ２に沿う方向に形成される長孔が連設されてなるガイドスリット４４ｂが穿設されている。
【０１０５】
そして、係合部材４４を取り付けた状態の沈胴レンズ枠２１をレンズユニット２の所定の位置（案内支軸３３）に対して取り付けた状態では、プリズム保持枠４１の係合ピン４１ｆがガイドスリット４４ｂの内部に配置されることで、両者が係合するように構成されている（図６参照）。
【０１０６】
また、このとき沈胴レンズ枠２１は、弾性部材３６の付勢力によって光軸Ｏ１に沿う方向であって、図５・図６の矢印Ｘ１方向に向けて付勢されているが、係合ピン４１ｆとガイドスリット４４ｂとが係合していることから、沈胴レンズ枠２１は、所定の位置に位置決めされるようになっている。
【０１０７】
したがって、これにより沈胴レンズ枠２１は、プリズム保持枠４１の光軸Ｏ２に沿う方向への移動に従動して、当該電子カメラ１の前面に向けて突出する使用位置と、当該カメラ１の内部に向けて沈胴し収納される収納位置との間で自在に移動し得るように構成されている。
このようにレンズ枠沈胴機構が構成されている。
【０１０８】
以上のように構成された本実施形態の電子カメラ１におけるレンズユニット２の作用を、以下に説明する。
【０１０９】
本電子カメラ１が非使用状態にあるときには、図６に示すように沈胴レンズ枠２１は、当該電子カメラ１の外装部材１１の内部に向けて沈胴した所定の収納位置にある。また、このときプリズム保持枠４１は、反射位置から退避した位置であって、沈胴レンズ枠２１を所定の収納位置へと収納するための収納空間を確保し得る退避位置にある。
【０１１０】
この状態において、電子カメラ１の使用者が電源操作部材１８に対して所定の操作を行なうと、当該電源操作部材１８は、所定の電源スイッチ部材に作用する。これにより、本電子カメラ１における電源の状態が開（オン）状態に切り換わる。すると、電子カメラ１の制御回路（図示せず）は、沈胴レンズ枠２１を収納位置から使用位置へと移動させるための指示信号を発生させる。
【０１１１】
この指示信号を受けて、アクチュエータ４２は、所定の方向への回転駆動を開始する。これにより、プリズム保持枠４１は、所定の退避位置から光軸Ｏ２に沿う方向であって沈胴レンズ枠２１の配置されている側、即ち撮像素子の撮像面から離間する方向（図６の矢印Ｙ１方向）への移動を開始する。
【０１１２】
プリズム保持枠４１と沈胴レンズ枠２１とは、上述したように係合ピン４１ｆとガイドスリット４４ｂとが係合している。したがって、プリズム保持枠４１が図６の矢印Ｙ１方向へと移動するのに伴って、係合ピン４１ｆは、ガイドスリット４４ｂに沿って移動することになる。
【０１１３】
このとき、沈胴レンズ枠２１は、案内支軸３３によって光軸Ｏ１に沿う方向にのみ移動するように案内されていると共に、沈胴レンズ枠２１は、弾性部材３６の付勢力によって光軸Ｏ１に沿う方向に付勢されている。
【０１１４】
これによって、係合ピン４１ｆは、沈胴レンズ枠２１を電子カメラ１の前方に向けて、即ち図６の矢印Ｘ１方向へと移動させることになる。したがって、プリズム保持枠４１の光軸Ｏ２に沿う方向であって図６の矢印Ｙ１方向への移動に連動して、沈胴レンズ枠２１は、光軸Ｏ１に沿う方向であって図６の矢印Ｘ１へと移動する。
【０１１５】
そして、プリズム保持枠４１が所定の反射位置に到達したときには、切片４１ｃは、枠位置検知部材４３の一方の検知部４３ａの凹形状の隙間部に配置されることになる。これによって、アクチュエータ４２を停止すべき所定の指示信号が発生する。これを受けて本電子カメラ１の制御回路（図示せず）は、当該アクチュエータ４２の回転駆動を停止する制御を行なう。
【０１１６】
このようにして、プリズム保持枠４１は、対物光学系２１ａのレンズ群を透過した光束を撮像基板２８に実装される撮像素子の側へと導き得る所定の反射位置に配置されるのと同時に、沈胴レンズ枠２１は、当該電子カメラ１の外装部材１１から前方に向けて突出する所定の使用位置に配置される。そして、本電子カメラ１は、所定の使用状態になる。
【０１１７】
次に、本電子カメラ１が使用状態にあるときに、使用者が電源操作部材１８の所定の操作を行なうと、本電子カメラ１における制御回路（図示せず）は、電源の状態を開（オン）状態から閉（オフ）状態へと切り換える所定の制御を実行する。
【０１１８】
即ち、電源操作部材１８に連動する所定の電源スイッチ部材からの信号を受けて本電子カメラ１の制御回路（図示せず）は、沈胴レンズ枠２１を使用位置から収納位置へと移動させるための制御を実行する。
【０１１９】
電源スイッチ部材からの指示信号を受けて制御回路は、まずアクチュエータ３２を駆動制御して変倍レンズ枠２２及び補正レンズ枠２３を所定の初期位置へと移動させる。これは、一般的な沈胴式の電子カメラ等において行なわれる動作である。これに加えて本実施形態では、プリズム保持枠４１が所定の退避位置へと移動するようにしている。この場合における退避位置への移動は、プリズム保持枠４１が第２のレンズ群を保持するレンズ枠である変倍レンズ枠２２・補正レンズ枠２３のがわに向かう方向への移動である。
【０１２０】
したがって、場合によっては、退避位置へと移動するプリズム保持枠４１が変倍レンズ枠２２・補正レンズ枠２３に干渉してしまうこともあり得る。
【０１２１】
そこで、プリズム保持枠４１の退避動作に先立って、変倍レンズ枠２２・補正レンズ枠２３を所定の初期位置、即ち退避するプリズム保持枠４１が変倍レンズ枠２２・補正レンズ枠２３に干渉しない位置へと移動させることで、プリズム保持枠４１の退避領域を確保して、当該プリズム保持枠４１と変倍レンズ枠２２・補正レンズ枠２３とが干渉してしまうことを防いでいる。
【０１２２】
次いで、制御回路は、アクチュエータ４２を駆動制御して、所定の方向への回転駆動を開始させる。これにより、プリズム保持枠４１は、所定の反射位置から光軸Ｏ２に沿う方向であって撮像素子（図示せず）の撮像面に向かう方向（図６の矢印Ｙ２方向）への移動を開始する。
【０１２３】
プリズム保持枠４１の図６の矢印Ｙ２方向への移動に伴って、当該プリズム保持枠４１に設けられる係合ピン４１ｆは、ガイドスリット４４ｂに沿って移動する。これによって、沈胴レンズ枠２１は、弾性部材３６の付勢力に抗して光軸Ｏ１に沿う図６の矢印Ｘ２方向であって電子カメラ１の内部に向けて移動する。
【０１２４】
したがって、プリズム保持枠４１の光軸Ｏ２に沿う方向であって図６の矢印Ｙ２方向への移動に連動して、沈胴レンズ枠２１は、光軸Ｏ１に沿う方向であって図６の矢印Ｘ２方向へと移動する。
【０１２５】
そして、プリズム保持枠４１が所定の退避位置に到達したときには、切片４１ｃは、枠位置検知部材４３の他方の検知部４３ｂの凹形状の隙間部に配置されることになる。これによって、アクチュエータ４２を停止すべき所定の指示信号が発生する。これを受けて本電子カメラ１の制御回路（図示せず）は、当該アクチュエータ４２の回転駆動を停止する制御を行なう。
【０１２６】
このようにして、プリズム保持枠４１は、沈胴レンズ枠２１の収納空間を確保し得る退避位置に配置されるのと同時に、沈胴レンズ枠２１は、当該電子カメラ１の外装部材１１の内部に向けて沈胴した収納位置に配置される。そして、本電子カメラ１は、所定の非使用状態になる。
【０１２７】
以上説明したように上記第１の実施形態によれば、反射手段としてプリズム４０を用いた折り曲げ光学系を備えたレンズユニット２を有する電子カメラ１において、
プリズム保持枠４１（プリズム４０）を反射位置と退避位置との間において光軸Ｏ２に沿う方向へと移動自在に構成することで、撮影光学系の一部の第１のレンズ群（対物光学系２１ａ）を保持するレンズ枠（沈胴レンズ枠２１）を使用位置と収納位置との間において光軸Ｏ１に沿う方向に移動自在に構成することができる。したがって、これにより電子カメラ１のさらなる薄型化を図ることが容易にできる。
【０１２８】
プリズム保持枠４１の光軸Ｏ２に沿う方向への移動は、撮影光学系の他の一部の第２のレンズ群（変倍系レンズ群２２ａ・補正系レンズ群２３ａ・固定レンズ群２４ａ）の移動を案内する駆動軸２６及び案内軸２７を用いて案内するように構成している。したがって、これにより部品点数の削減に寄与し、機構の簡素化及び製造コストの低減化に寄与することができる。
【０１２９】
プリズム保持枠４１の一部（係合ピン４１ｆであって非係合部材）に係合する係合部材４４を沈胴レンズ枠２１に取り付けると共に、当該係合部材４４には、プリズム保持枠４１が退避位置へと移動する場合において、当該プリズム保持枠４１の一部（係合ピン４１ｆ）が係合するように構成している。これにより、プリズム保持枠４１が退避位置へと移動するときには、沈胴レンズ枠２１が収納位置へと移動することになる。したがって、より簡単な機構によって沈胴レンズ枠２１とプリズム保持枠４１とを連動させることができ、機構の簡素化を実現すると共に、部品点数の削減に寄与し、よって製造コストの低減化に寄与することができる。
【０１３０】
プリズム４０（プリズム保持枠４１）を移動させるためのアクチュエータ４２は、プリズム保持枠４１の所定の位置であって、プリズム４０の反射面の裏面側に近接する所定の位置に固設するようにしたことから、プリズム４０の反射面の裏面側の空間を部材配置のために有効に利用することができる。これによっても電子カメラ自体の小型化に寄与することができる。
【０１３１】
なお、上述の第１の実施形態では、沈胴レンズ枠２１の収納位置は、当該沈胴レンズ枠２１が完全に外装部材１１の内部に収納された状態としているが、これに限らず、例えば沈胴レンズ枠２１の前面側の一部が外装部材１１の前面から若干突出した状態であってもよい。
【０１３２】
つまり、沈胴レンズ枠２１の収納位置は、その使用位置にあるときに比べて沈胴した状態となっており、外装部材１１の前面からの沈胴レンズ枠２１の突出量が使用位置にあるときよりも収納位置にあるときの方が少ない状態となっていればよい。
【０１３３】
また、上述の第１の実施形態においては、折り曲げ光学系の一部を構成する反射部材としてプリズム４０を用いるようにしているが、反射部材としてはこれに限らず、例えば反射鏡を用いて構成することもできる。
【０１３４】
次に示す本発明の第２の実施形態は、折り曲げ光学系の一部を構成する反射部材として反射鏡を用いた例である。以下に、この第２の実施形態について説明する。
【０１３５】
図７は、本発明の第２の実施形態の電子カメラにおけるレンズユニットの一部を示す要部拡大斜視図であって、本レンズユニットが非使用状態にある場合を図示している。なお、図７は、第１の実施形態における図６に相当する図である。
【０１３６】
上述したように、本実施形態の電子カメラにおけるレンズユニット２Ａは、上述の第１の実施形態で用いられていた反射部材であるプリズム４０に代えて、反射鏡５０を利用するようにした点が異なる。
【０１３７】
本実施形態における反射部材としての反射鏡５０は、反射鏡保持枠４１Ａによって保持されている。この反射鏡保持枠４１Ａは、上述の第１の実施形態におけるプリズム保持枠４１と略同様に反射鏡保持枠４１Ａ自身を摺動自在に支持する支持腕部４１ｂ・４１ｄを有する基端部４１Ａａと、反射鏡５０を保持する保持部４１ｅとによって形成されている。
【０１３８】
保持部４１ｅは、対向する一対の壁状部材からなり、この保持部４１ｅに挟まれる空間に反射鏡５０が所定の角度となるように配設されている。そして、反射鏡５０が光軸Ｏ１上の所定の位置、即ち反射位置に配置されたときに、光軸Ｏ１に直交する面であって対物光学系２１ａを透過した光束が入射する側の面と、光軸Ｏ２に直交する面であって反射鏡５０によって反射された光束が出射する側の面は、光束が通過し得るように開放された状態になっている。
【０１３９】
そして、この保持部４１ｅに挟持されるようにして保持される反射鏡５０の反射面は、当該反射鏡５０が所定の反射位置に配置された場合における光軸Ｏ１及び光軸Ｏ２のそれぞれに対して角度略４５度の傾斜角を有するように配置されている。
【０１４０】
基端部４１Ａａの一方の支持腕部４１ｂは駆動軸２６によって、また他方の支持腕部４１ｄは案内軸２７によって、上述の第１の実施形態と同様にそれぞれが摺動自在に支持されている。これによって反射鏡保持枠４１Ａは、光軸Ｏ２に沿う方向にのみ摺動自在となっている。
【０１４１】
また、基端部４１Ａａの一方の支持腕部４１ｂの先端部には、断面が略Ｌ字形状からなり、基台２５上の対応する位置に設けられる枠位置検知部材４３の検知部４３ａ・４３ｂに作用する切片４１ｃが一体に形成されていることは、上述の第１の実施形態のプリズム保持枠４１と同様である。
その他の構成は、上述の第１の実施形態と全く同様である。また、本実施形態の電子カメラにおけるレンズユニット２Ａの作用も、上述の第１の実施形態と全く同様である。
【０１４２】
したがって、本実施形態によれば、被写体からの光束を折り曲げる折り曲げ光学系における反射部材として反射鏡５０を利用しても、上述の第１の実施形態と全く同様の効果を得ることができる。
【０１４３】
また、工作精度が要求されると同時に部品として高価となりがちなプリズムに代えて、同じ機能を有する反射部材として反射鏡５０を利用するようにしたので、より製造コストの低減化に寄与することができる。
【０１４４】
【発明の効果】
以上述べたように本発明によれば、プリズム等の反射手段を用いてなる折り曲げ光学系を採用したレンズユニットを備える電子カメラにおいて、さらなる薄型化を実現し得る機構を備えた電子カメラを提供することができる。
【図面の簡単な説明】
【図１】本発明の第１の実施形態の電子カメラの前面側の外観を示す斜視図。
【図２】図１の電子カメラの背面側の外観を示す斜視図。
【図３】図１の電子カメラの主な内部構成部材を概略的に示す透視図。
【図４】図１の電子カメラが使用状態にある場合におけるレンズユニットを取り出して示す斜視図。
【図５】図１の電子カメラにおけるレンズユニットの一部であって、主に反射部材（プリズム）とその駆動機構及びレンズ枠とその沈胴駆動機構を構成する部材近傍の部位を拡大して示す要部拡大分解斜視図。
【図６】図１の電子カメラが非使用状態にある場合におけるレンズユニットの一部を示し、当該レンズユニットを組み立てた際の状態を拡大して示す要部拡大斜視図。
【図７】本発明の第２の実施形態の電子カメラが非使用状態にある場合におけるレンズユニットの一部を拡大して示す要部拡大斜視図。
【符号の説明】
１……電子カメラ
２・２Ａ……撮影レンズユニット
１１……外装部材
１８……電源操作部材
２１……沈胴レンズ枠
２１ａ……対物光学系
２１ｂ……支持腕部（プリズム保持枠）
２１ｃ……支持腕部（プリズム保持枠）
２１ｅ……レンズ保持部
２１ｆ……係合ピン（連結部）
２５ａ……軸支持部
２５ｂ……軸支持部
２６……駆動軸
２７……案内軸
２８……撮像基板（撮像素子）
２８ａ……コネクタ部
２８ｂ……フレキシブルプリント基板
３２……アクチュエータ
３３……案内支軸
３６……弾性部材
４０……プリズム
４０ａ……裏面
４１・４１Ａ……プリズム保持枠
４２……アクチュエータ
４３……枠位置検知部材
４３ａ・４３ｂ……検知部
４４……係合部材
４４ｂ……ガイドスリット
４５……ラック
５０……反射鏡
【図１】
0004028721.tif 000002
【図２】
0004028721.tif 000003
【図３】
0004028721.tif 000004
【図４】
0004028721.tif 000005
【図５】
0004028721.tif 000006
【図６】
0004028721.tif 000007
【図７】
0004028721.tif 000008